(57)【特許請求の範囲】
【請求項１】
建屋に設けられる開閉自在なスチール製のシャッター本体に開口を形成し、その開口を開閉自在に覆う耐熱性布材とその上下にそれぞれ設けられた支持部材とよりなる剛性を備えたシート扉を設け、上支持部材がスラットに回動自在に枢支され、そのシート扉の周囲にシャッター本体への密着性を向上させるためのシート状磁石を取り付けてなることを特徴とするシート扉付シャッター。
【発明の詳細な説明】
【０００１】
【発明の属する技術分野】
本発明は建屋の通路や開口等に防災用等として設けられるシート扉付シャッターに関する。
【０００２】
【従来の技術】
近時は、耐熱性の布材で形成された軽量なシートシャッターが防火及び／又は防煙用として用いられることが多い。例えば特開平９−１８７５２５号公報には、建物内部の空間を天井から床までにわたり耐火スクリーンで仕切ると共に、その耐火スクリーンの中間高さ部分から下方部分に縦方向に延びる１本以上のスリットを形成して退避通路とした可動式防火・防煙区画構造が提案されている。
【０００３】
【発明が解決しようとする課題】
一方、スチール製のシャッターにおいても、火災が発生した時には、シャッター本体を閉じた状態で、人の出入りが可能となる開口が設けられるのが望ましく、かつ、人が出入りした後には、その開口が密着性よく閉塞されるような防災性の高い構成のものが求められている。
【０００４】
本発明はこのような実情に鑑みてなされ、シャッター本体の開口縁との間で高い密着性が得られるシート扉付シャッターを提供することを目的としている。
【０００５】
【課題を解決するための手段】
本発明は上述の課題を解決するための手段を以下のように構成している。
すなわち、建屋に設けられる開閉自在なスチール製のシャッター本体に開口を形成し、その開口を開閉自在に覆う耐熱性布材とその上下にそれぞれ設けられた支持部材とよりなる剛性を備えたシート扉を設け、上支持部材がスラットに回動自在に枢支され、そのシート扉の周囲にシャッター本体への密着性を向上させるためのシート状磁石を取り付けてなることを特徴としている。
【０００６】
シート状磁石は柔軟性があるため、シート扉に取り付けても巻き取り可能で、着脱が容易であり、シャッター本体の開口縁との間で高い密着性を得ることができる。
【０００７】
【発明の実施の形態】
以下に本発明のシート扉付シャッターの実施形態につき詳細に説明する。
図１はシート扉付シャッターの斜視図、図２はシート扉の裏面図、図３はシート扉付シャッターの横切断面図で、これらの図において、符号１はスチール製のシャッター本体、２は相互に接続されたスラット、３はそのスラット２，…の一部を切り欠き形成したスラット開口、４はそのスラット開口３を開閉自在に覆う耐熱性布材よりなるシート扉で、例えばシリカ繊維にシリコンコーティングを施したものが用いられる。５はシャッター本体１の下部に取り付けられた重りを兼ねた座板で（図６参照）、一対の曲げ板材５１，５２表裏両側から組み合わせてなる。
【０００８】
６１はシート扉４の表面の上辺部に取り付けられた上支持部材、６２は下辺部に取り付けられた下支持部材で、その上支持部材６１の一端がヒンジ７（図５（Ａ），（Ｂ）参照）を介してスラット２に回動自在に枢支されており、また、そのシート扉４の裏面には、その周縁部にシート状磁石８１〜８４が貼着されており、スラット開口３を閉塞している時には、シート状磁石８１〜８４がスラット開口３の周縁部に吸着し、高い密着性が得られ、火炎の侵入や漏出、あるいは空気や煙の流通を防ぐことができるように構成される一方、人が出入りする時には、シート状磁石８１〜８４を剥がしてシート扉４を容易に開くことができ、その後、閉じれば、以前の高い密着状態となる。
【０００９】
より詳しく説明すると、上述のシート扉４の裏面には（図２参照）、横桟９１〜９６が設けられ、適度の剛性をシート扉４に与え、開閉を容易とし、かつ、シャッター本体１への密着性を向上させている。また、そのシート扉４がスラット開口３の周縁と対応する側縁の位置に一対の炎返し１０，１０が設けられ、火災発生時には、シート状磁石８１〜８４と共に、そのスラット開口３におけるシート扉４の密着性と遮蔽性をさらに向上させるようにしている。
【００１０】
その炎返し１０はシート扉４と同様の耐熱性布材よりなり、その内側縁がスプリング蝶番１１によってシート扉４の本体の横桟９２，９３，９４に回動自在に取り付けられ（図３，図４参照）、常時は紐体１２によってそのスプリング蝶番１１の回動片１１１が内方に向き合うように折りたたまれており、周囲に火災が発生すると、その熱によって紐体１２が破断され、スプリング蝶番１１の付勢力によって炎返し１０が外方に展開回動されてスラット開口３の周縁部に設けた縁材３１に当接する。これにより、より一層高い密着性と遮蔽性を得ることができ、火災の侵入や漏出、空気や煙の流通を効果的に防ぐことができる。なお、炎返し自体に復元力があればスプリング蝶番は省くことができる。
【００１１】
このようなスラット開口３を有するシャッター本体１は、まぐさ１３の上に取り付けた巻取り装置１４（図７参照）によって、巻き上げ、巻き下げられるが、シート扉４もスラット２，…と共に巻き取られ、巻き戻される。その際に、シート状磁石８１〜８４によってシート扉４がスラット開口３の周縁に密着しているため、シャッター本体１を展張した時には、別途、何らの操作を要することなく、スラット開口３をシート扉４によって閉塞された状態とすることができる。
【００１２】
上述のシート扉４を支持しているヒンジ７の枢軸７１はある程度斜めに傾斜して設けられており（図５（Ａ）参照）、シート扉４を開くと、図８（Ａ）に示すように、支持部材６１の先端がやや上方に移動しつつ回動する。従って、人がスラット開口３を通過した後は、たとえそのシート扉１を締め忘れても、その支持部材６の自重でシート扉４は自動的に閉じられ元の状態に復帰し、シート状磁石８１〜８４によってスラット開口３は密閉される。なお、ヒンジ７の一方の取付片７２は座金１５を介してスラット２に、他方の取付片７３は支持部材６１に、それぞれボルト締結により固定されている。なお、ラバトリーヒンジを用いれば、支持部材６１を斜めに取り付けなくてもよい。
【００１３】
一方、シャッター本体１の下部に設けられている座板５は、一対の曲げ板材５１，５２によって山型状に形成されており、床面上に着座した状態にて、車椅子に乗った人も、スラット開口３を通り抜けることができるように配慮している。なお、一方の曲げ板材５１の先端には、シート扉４の開閉時に下方の支持部材６２の出入が可能で、かつ、車椅子の車輪が通過できる程度のすき間ｄ（図６参照）を設けている。
【００１４】
火災が発生した時には、シャッター本体１を降下させることにより（図８（Ａ）参照）、火災の侵入や漏出を防ぐことができ、また、空気や煙の流通を防ぐことができるが、人の出入りが必要な時には、シート扉４のみを開くことによって（図８（Ｂ）参照）、シャッター本体１を巻き上げることなく、人の通行が可能となる。その後、シート扉４は自動的に閉じられ、シート状磁石８１〜８４によって元通りの密着性と遮蔽性を確保することができる。
【００１５】
上述の実施形態では、シート扉の上部に設けた上支持部材の一端をヒンジを介してスラットに取り付けているが、本発明はシート扉の構成を上述の実施形態に特定するものではなく、少なくともシート扉の周囲にシャッター本体への密着性を向上させるためのシート状磁石が取り付けられていればよく、構成の如何を問わない。
【００１６】
【発明の効果】
以上説明したように、本発明のシート扉付シャッターによれば、開閉自在なスチール製のシャッター本体の開口を開閉自在に覆う耐熱性布材とその上下にそれぞれ設けられた支持部材とよりなる剛性を備えたシート扉を設け、上支持部材がスラットに回動自在に枢支され、そのシート扉の周囲にシャッター本体への密着性を向上させるためのシート状磁石を取り付けているので、シート扉でシャッター本体の開口を密着性よく閉塞することができる。
【図面の簡単な説明】
【図１】  本発明のシート扉付シャッターの一実施形態を示す要部斜視図である。
【図２】  同シート扉の裏面図である。
【図３】  同シート扉の横切断面図である。
【図４】  同シート扉の裏面側から見た斜視図である。
【図５】  （Ａ）はシート扉を支持するヒンジの取付状態を示す正面図、（Ｂ）はその平面図である。
【図６】  同シート扉付シャッターの一部破断要部縦断面図である。
【図７】  同シート扉付シャッターの一部破断縦断面図である。
【図８】  （Ａ）は同シャッター本体を閉じ、かつ、シート扉を閉じた状態の正面図、（Ｂ）はシート扉を開いた状態の正面図である。
【符号の説明】
１…シャッター本体、３…開口、４…シート扉、８１〜８４…シート状磁石。
【図１】
0003790337.tif 000002
【図２】
0003790337.tif 000003
【図３】
0003790337.tif 000004
【図４】
0003790337.tif 000005
【図５】
0003790337.tif 000006
【図６】
0003790337.tif 000007
【図７】
0003790337.tif 000008
【図８】
0003790337.tif 000009